(57)【特許請求の範囲】
【請求項１】
低電圧で大電流の電力を供給可能な大電流電源部と、
前記大電流電源部よりも電位が高い高電圧で、且つ前記大電流電源部よりも電流値が小さい小電流の電力を、一次コイルと二次コイルを有するトランスによって供給可能である高電圧電源部と、
前記大電流電源部から供給された前記低電圧で大電流の電力と、前記高電圧電源部から供給された前記高電圧で小電流の電力を、前記二次コイルの内部で融合させて融合電力を生成する二電力融合部と、
前記融合電力が供給されるように前記二電力融合部と接続され、前記融合電力を平滑直流電力にする総電力平滑部と、
前記平滑直流電力が供給されるように前記総電力平滑部と接続され、前記平滑直流電力を任意の出力とする電力調整機と
を備えていることを特徴とする電源装置。
【請求項２】
前記高電圧電源部の前記トランスは、前記一次コイルを、１体の鉄心において１個、又は２体の鉄心において２個備えていると共に、前記二次コイルを２個備えており、
前記二電力融合部は、
２個の前記二次コイルの一方の端部同士を直列に結線する直列接続線と、
前記直列接続線に接続されるタップ線と、
前記タップ線に接続される入力側（−）極端子と、
２個の前記二次コイルにおける前記直列接続線が結線されない他方の各端部に接続される端接続線と、
２個の前記端接続線又は前記直列接続線にそれぞれ配置した整流器と、
双方の前記端接続線が共に接続される出力側（＋）極端子と
を備えており、
前記入力側（−）極端子に対し、前記大電流電源部を接続して、前記二電力融合部に対し、前記低電圧で大電流の電力を供給し、
前記高電圧電源部は、２個の前記一次コイルを並列に結線する並列接続線、又は２個の前記二次コイルに共通する１個の前記一次コイルを備えており、
前記二電力融合部は、２個の前記二次コイルの内部で発生した前記高電圧で小電流の電力と、前記大電流電源部から供給された前記低電圧で大電流の電力とを、前記高電圧電源部における２個の前記二次コイルの内部において融合させ、高電圧で大電流の融合電力を生成する
ことを特徴とする請求項１に記載の電源装置。
【発明の詳細な説明】
【技術分野】
【０００１】
本発明は、負荷に融合電力を供給可能な二電力融合回路が設けられた電源装置に関する。
【背景技術】
【０００２】
本願出願人が出願した電源装置（下記特許文献１参照）では、次に説明するように、合成高電圧で重合大電流の融合電力を生成し、出力負荷に供給することができる。
即ち、低電圧・大電流を充放電できる蓄電池に蓄電された低電圧・大電流の電力と、高電圧・小電流の電力とを、前記蓄電池の内部で融合させ、これら二つの電力の電圧は合成して合成高電圧となる一方、これら二つの電力の電流は加算されず、小電流と大電流が重合した重合大電流となって、前記合成高電圧と融合する。
【先行技術文献】
【特許文献】
【０００３】
【特許文献１】特開２０１２−２４４７４３号公報
【発明の概要】
【発明が解決しようとする課題】
【０００４】
以上の電源装置では、低電圧・大電流蓄電用の蓄電池を使用しない場合は、直接的に低電圧・大電流の第１電力と、高電圧・小電流の第２電力とが融合して、前記第１電力の大電流と前記第２電力の高電圧のみを取り出すことはできないとされていた。
又、高電圧・小電流の電力を生成する第２の電源部において、電流を小電流に制限する回路（装置）が必要であった。
そこで、本発明は、蓄電池や小電流制限回路（装置）を省略することができ、シンプルな回路で大電流（低電圧）と高電圧（小電流）とを融合させた融合電力を負荷に供給することができる電源装置を提供することを目的としたものである。
【課題を解決するための手段】
【０００５】
上記目的を達成するために、請求項１に記載の発明は、低電圧で大電流の電力を供給可能な大電流電源部と、前記大電流電源部よりも電位が高い高電圧で、且つ前記大電流電源部よりも電流値が小さい小電流の電力を、一次コイルと二次コイルを有するトランスによって供給可能である高電圧電源部と、前記大電流電源部から供給された前記低電圧で大電流の電力と、前記高電圧電源部から供給された前記高電圧で小電流の電力を、前記二次コイルの内部で融合させて融合電力を生成する二電力融合部と、前記融合電力が供給されるように前記二電力融合部と接続され、前記融合電力を平滑直流電力にする総電力平滑部と、前記平滑直流電力が供給されるように前記総電力平滑部と接続され、前記平滑直流電力を任意の出力とする電力調整機とを備えていることを特徴とするものである。
請求項２に記載の発明は、上記発明にあって、前記高電圧電源部の前記トランスは、前記一次コイルを、１体の鉄心において１個、又は２体の鉄心において２個備えていると共に、前記二次コイルを２個備えており、前記二電力融合部は、２個の前記二次コイルの一方の端部同士を直列に結線する直列接続線と、前記直列接続線に接続されるタップ線と、前記タップ線に接続される入力側（−）極端子と、２個の前記二次コイルにおける前記直列接続線が結線されない他方の各端部に接続される端接続線と、２個の前記端接続線又は前記直列接続線にそれぞれ配置した整流器と、双方の前記端接続線が共に接続される出力側（＋）極端子とを備えており、前記入力側（−）極端子に対し、前記大電流電源部を接続して、前記二電力融合部に対し、前記低電圧で大電流の電力を供給し、前記高電圧電源部は、２個の前記一次コイルを並列に結線する並列接続線、又は２個の前記二次コイルに共通する１個の前記一次コイルを備えており、前記二電力融合部は、２個の前記二次コイルの内部で発生した前記高電圧で小電流の電力と、前記大電流電源部から供給された前記低電圧で大電流の電力とを、前記高電圧電源部における２個の前記二次コイルの内部において融合させ、高電圧で大電流の融合電力を生成することを特徴とするものである。
【発明の効果】
【０００６】
請求項１に記載の発明によれば、大電流電源部の入力電力は好適にはＡＣ１００Ｖ（ボルト）又はＡＣ２００Ｖとし、出力は設定（適正）の低電圧・大電流に変換させ、又、高電圧電源部の入力電力の電圧は好適にはＡＣ１１０Ｖ以下とする。この場合、出力電圧としては、１８０Ｖ以上４４０Ｖ以下が最適である。尚、入力側の電圧をＡＣ２００Ｖにする場合、電力調整機の出力電力の電圧は、ＡＣ３８０Ｖ以上が好適である。
大電流電源部の出力（低電圧・大電流）電力は、高電圧電源部の二電力融合部（二電力融合回路）に設けたトランスの二次コイルの中に送られ、二次コイルの中で発生している高電圧・小電流の交流電力の発生方向と同じ流れ方向に流れ、この時、トランスの二次コイルの中で、大電流電源部で生成して送り込んだ直流の低電圧・大電流の電力の低電圧と、二次コイルで発生した高電圧とが合成して合成高電圧が生成し、又、前記大電流は、二次コイルで発生した小電流とは合算せず、両者共に重なって重合大電流となり、これら合成高電圧と重合大電流は二次コイルの中で融合して、一対になって融合電力となり、電力調整機に供給され、この電力調整機で融合電力の電圧は、定格出力電圧に自動調整され、出力側負荷に供給される。
請求項２に記載の発明によれば、請求項１の二電力融合回路のトランスを２個にし、又、整流回路について４個の整流器を２個の整流器にし、２個のトランスの一次コイル側を並列結線あるいは共通化し、二次コイル側を直列結線にし、両線端線にそれぞれ整流器（ダイオード等）を設け、整流器を２個持つ二電力融合回路にしたことで、整流器による損失を半減し、効率を上げることができる。
【図面の簡単な説明】
【０００７】
【図１】本発明の実施形態１に係る電源装置の概略回路構成図である。
【図２】本発明の実施形態２に係る電源装置の概略回路構成図である。
【発明を実施するための形態】
【０００８】
以下、本発明に係る実施形態につき、適宜図面に基づいて説明する。尚、本発明は、下記の実施形態に限定されない。
【０００９】
＜実施形態１＞
図１は実施形態１に係る電源装置１の概略回路構成図であって、電源装置１は、大電流電源部１０と、高電圧電源部２０と、二電力融合回路３０と、総電力平滑回路４０と、電力調整機６０とを備えている。
【００１０】
大電流電源部１０は、低電圧で大電流の、直流の出力電流を生成するもので、同じ巻数の２つの二次コイル（直列結線）と１つの一次コイルとを設けた低電圧大電流変換器１１と、２個の整流器１２ａ，１２ｂと、（＋）極線１３ａ，１３ｂと（−）極線１３ｃ間に並列結線した２個の平滑コンデンサーＣ１，Ｃ２と、（＋）極線１３ａ，１３ｂ間に直列結線した平滑リアクトルＬ１とを設けた大電流平滑回路１３を備えている。
低電圧大電流変換器１１の一次コイルの入力端子１０ａ，１０ｂは、外部電源と接続され、又、２つの二次コイルは直接結線し、連結する結線１０ｃの中間にタップ線１０ｄを接続して（−）極線とし、大電流平滑回路１３の入力側（−）極端子１３ｄに接続している。更に、２つの二次コイルの右接続線１０ｅと左接続線１０ｆとを共に大電流平滑回路１３の入力側（＋）端子１３ｅに接続している。尚、２つの整流器１２ａ，１２ｂのカソードの位置は、大電流平滑回路１３の入力側（＋）極端子１３ｅ側に設けている。
低電圧・大電流を生成する大電流電源部１０は、図示のような回路の他、例えばＡＣ（交流）−ＤＣ（直流）スイッチング電源装置や直流可変電源装置等としても良い。
【００１１】
高電圧電源部２０は、高電圧用トランス２１を備えている。
高電圧用トランス２１は、一次コイルと二次コイルの巻数を１：１．２にしている。尚、一次コイルと二次コイルの巻数を１：１又は２：１等としても良い。
高電圧用トランス２１の入力側端子２０ａ，２０ｂは、外部電源と接続している。
【００１２】
二電力融合部としての二電力融合回路３０は、高電圧用トランス２１の大電流を通過可能とする二次コイルの右出力端子２１ａと、ブリッジ形の整流回路５０の右入力端子５０ａとを、右接続線３０ａによって接続すると共に、二次コイルの左出力端子２１ｂと、整流回路５０の左入力端子５０ｂとを、左接続線３０ｂによって接続する。
ブリッジ形の整流回路５０は、４個のダイオードＤ１，Ｄ２，Ｄ３，Ｄ４をもってブリッジ形を形成している。大電流電源部１０の出力側（＋）極端子１０ｇと、二電力融合回路３０の（−）極端子３０ｃとを、Ａ接続線１４によって接続する。
ブリッジ形の整流回路５０の内部に設けた（−）極線５０ｃは、二電力融合回路３０の（−）極端子３０ｃと、ダイオードＤ１，Ｄ２のアノードとを接続する。ダイオードＤ１のカソードは、右（＋）線５０ｄと接続し、ダイオードＤ２のカソードは、左（＋）線５０ｅと接続している。
右（＋）線５０ｄと左（＋）線５０ｅは、二電力融合回路３０の出力側（＋）端子３０ｄに接続し、右（＋）線５０ｄにおいて、出力側（＋）端子３０ｄとダイオードＤ１のカソードとの間にダイオードＤ３を設け、又、左（＋）線５０ｅにおいて、出力側（＋）端子３０ｄとダイオードＤ２のカソードとの間にダイオードＤ４を設けている。尚、両ダイオードＤ３，Ｄ４のカソードの位置は、出力側（＋）端子３０ｄ側としている。
【００１３】
総電力平滑部としての総電力平滑回路４０は、（＋）極線４０ａ，４０ｂと、（−）極線４０ｃとの間に平滑コンデンサーＣ３，Ｃ４を並列に接続し、（＋）極線４０ａ，４０ｂの間に平滑リアクトルＬ２を直列結線している。総電力平滑回路４０の（＋）極線４０ａと入力側（＋）極端子４０ｄとを接続し、入力側（＋）極端子４０ｄと二電力融合回路３０の出力側（＋）極端子３０ｄとをＢ接続線１５によって接続している。
又、大電流電源部１０の出力側（−）端子１０ｈと、総電力平滑回路４０の入力側（−）端子４０ｅとをＣ接続線１６によって接続している。
【００１４】
電力調整機６０は、電力を調整する回路であり、例えばパワーコンディショナーやインバータ、スイッチング電源装置、昇圧装置、バッテリー充電器等を用いることができる。
総電力平滑回路４０の出力側（＋）端子４０ｆと、電力調整機６０の入力側（＋）極端子６０ａとをＤ接続線１７によって接続する。又、総電力平滑回路４０の出力側（−）端子４０ｇと、電力調整機６０の入力側（−）極端子６０ｂとをＥ接続線１８によって接続する。
電力調整機６０の出力端子１ａ，１ｂは、負荷７０に接続している。
【００１５】
次に、電源装置１の動作例（出力負荷時）を説明する。
高電圧電源部２０の入力側端子２０ａ，２０ｂに対し、外部電源から単相交流電力（好適にはＡＣ１００Ｖ前後）を供給すると、単相交流電力は高電圧用トランス２１の一次コイルに入り、一次コイルの電圧に対する二次コイルの電圧は１．２倍に昇圧する。尚、二次コイルの電圧は、一次コイルの電圧と１対１としたり、あるいは減圧したりして良い。
高電圧電源部２０の二次コイルの電力は、ブリッジ形の整流回路５０のダイオードＤ３，Ｄ４を通過して、総電力平滑回路４０の平滑リアクトルＬ２を通り、電力調整機６０に高電圧側の高電圧電力を供給する。
尚、好適には、入力電圧をＡＣ１１０Ｖ以下にし、出力電圧を１８０Ｖ以上とする。又、入力電圧がＡＣ２００Ｖ前後の場合、好適には出力電圧を３８０Ｖ以上とする。
【００１６】
一方、大電流電源部１０に備えられた低電圧大電流変換器１１の一次コイル側の入力端子１０ａ，１０ｂに、外部電力の例えばＡＣ１００Ｖ又はＡＣ２００Ｖの交流電力が供給されると、二次コイル側で電圧は大きく減圧され、電流は反比例して大きく増流され、低電圧・大電流電力が発生する。この二次コイル内で発生した低電圧・大電流電力は、左右の整流器１２ａ，１２ｂと、大電流平滑回路１３の平滑リアクトルＬ１を通って、出力側（＋）端子１０ｇより、二電力融合回路３０の入力側（−）端子３０ｃを通り、ブリッジ形の整流回路５０の（−）極線５０ｃを流れて、ダイオードＤ１，Ｄ２を交互に通って、高電圧用トランス２１の二次コイルの中へ、交流が発生する方向へ交流電力と一緒になって二次コイルの中を流れる。この二次コイルで発生した交流高電圧は、大電流電源部１０で発生した低電圧と二次コイル内で合成され、合成高電圧となって負荷７０に送電される。
又、大電流電源部１０から供給された大電流は、二次コイルで発生した小電流とは合算されず、両電流は共に重なって重合大電流となって負荷７０に流れる。つまり、二次コイルの中で、合成高電圧と重合大電流は融合して合成高電圧で重合大電流の融合直流電力が生成し、その融合直流電力を電力調整機６０で適正な電力に調整して負荷７０に供給する。例えば、電力調整機６０として４ｋＷ（キロワット）用パワーコンディショナーを採用した場合、出力ＡＣ２００Ｖ×２０Ａ（アンペア）となり、負荷７０は４ｋＷの場合１０Ω（オーム）となる。
尚、高電圧用トランス２１（１：１．２）の二次コイル内部で発生する小電流値（Ａ）は、高電圧用トランス２１の二次コイル発生電圧値（Ｖ）を出力負荷値（Ω）で除算した値にほぼ等しくなる。出力負荷値としては、例えば、出力ＡＣ２００Ｖを２０Ａで除算した１０Ωとなる。
【００１７】
続いて、以上の電源装置１の効果を説明する。
電源装置１では、高電圧電源部２０の高電圧用トランス２１の二次コイルで高電圧・小電流を発生させ、又、大電流電源部１０で生成した低電圧・大電流の電力を二電力融合回路３０に送り込み、高電圧電源部２０の高電圧用トランス２１の二次コイルの中で、高電圧と低電圧を合成して合成高電圧をつくり、更に、小電流と大電流は合算せず、両電流は共に重なって重合大電流となって負荷７０に流れる。
よって、高電圧電源部２０の高電圧用トランス２１の二次コイルの中で、合成高電圧と重合大電流は融合して合成高電圧・重合大電流の融合直流電力を生成し、電力調整機６０で融合直流電力を適正な電力（電圧・電流）に調整して負荷７０に供給することができる。
【００１８】
電源装置１に関する実施の具体例を説明する。
出力側の負荷７０は、１０Ω抵抗器を使用し、１０Ω負荷時の電圧値・電流値を測定した。電力調整機６０としては、パワーコンディショナーを使用した。
高電圧用トランス２１は、一次コイル側においてＡＣ１０１．３Ｖで１１．６Ａであり、一次コイルと二次コイルのコイル巻数比が１：１．２であり、二次コイルの最大通過電流が３７．４Ａであった。
ブリッジ形の整流回路５０の通過電力は、最大９８Ｖで４４．２Ａであった。
大電流電源部１０の低電圧大電流変換器１１は、一次コイル側においてＡＣ１０１．３Ｖで５．８Ａであった。尚、一次コイルと二次コイルの巻数比は７：１とした。
整流器１２ａ，１２ｂの通過電力は、１４Ｖで４０．６Ａであった。
大電流平滑回路１３の通電電力は、１３．５Ｖで３９Ａであった。
総電力平滑回路４０の通過電力（合成電圧）は、１２３．７Ｖで３５．９Ａであった。
電力調整機６０の入力電圧は１２３．７Ｖで、入力電流は３５．９Ａとなり、出力電力は最大で略ＡＣ２００Ｖで略２０Ａであった。
各所の電圧値・電流値は、出力側の負荷７０のテスト用抵抗値１０Ωに対して生じたもので、電流制限回路等を設けず、全く制限されていない数値、つまり負荷７０の１０Ωに対して必然的に発生した数値である。
【００１９】
高電圧電源部２０の高電圧用トランス２１の一次コイル側に対する外部電源からの入力電力は、ＡＣ１０１．３Ｖで１１．６Ａである。この電流値は、出力の負荷７０の抵抗値１０Ωに対応して発生した電流値である。
電力調整機６０の入力側（＋）端子６０ａの電圧は１２３．７Ｖであり、出力側の端子１ａ，１ｂの電力は、負荷７０の１０Ω負荷に対して、約ＡＣ２００Ｖ×約２０Ａになる。
電力調整機６０の入力側（＋）端子６０ａの電流３５．９Ａについては、次の通りである。大電流電源部１０の低電圧大電流変換器１１の一次コイル側の入力端子１０ａ，１０ｂに、ＡＣ１０１．３Ｖで５．８Ａが外部電源より供給される。この５．８Ａの電流は、３５．９Ａの電流に対するものである。５．８Ａの電流は、低電圧大電流変換器１１によって低電圧で増流されて４０．６Ａとなり、整流器１２ａ，１２ｂと大電流平滑回路１３とを通過して３９Ａとなって二電力融合回路３０に入り、ここでは高電圧電源部２０の二次コイルで発生する電流７．７４Ａとは合算されず、そのまま負荷７０に向かって流れ、電力調整機６０の入力側（＋）端子６０ａでは３５．９Ａの重合大電流となる。７．７４Ａの電流は、３５．９Ａの電流と重合して共に負荷７０へ流れる。
尚、大電流電源部１０の出力側（＋）端子１０ｇから出力する電圧１３．５Ｖは、二電力融合回路３０の中で、高電圧電源部２０の１１７．９Ｖと合成して１２９．２Ｖとなって電力調整機６０の入力側（＋）端子６０ａに供給され、よって、入力側（＋）端子６０ａでは、１２３．７Ｖ×３５．９３Ａ＝４４４５ＶＡ（最大）となる。
【００２０】
尚、高電圧電源部２０の入力電力の電圧をＡＣ１１０Ｖ以下にする場合、好適には出力側電圧はＡＣ（ＤＣ）１８０Ｖ以上にする。出力電圧をＡＣ１００Ｖにして使用する場合、一例としてＡＣ２００Ｖ（ＡＣ４００Ｖ）からＡＣ１００Ｖ（出力）に減圧するトランス、又はＤＣ２００Ｖ（ＤＣ４００Ｖ）からＡＣ１００Ｖに減圧するインバーターやパワーコンディショナー等を使用する。
一方、入力電圧をＡＣ２００Ｖ前後にした場合、出力電圧を好適には３８０Ｖ以上とする。出力電圧を一旦昇圧した２００Ｖ以上４００Ｖ以下程度のものからＡＣ１００Ｖに減圧して使用する場合、減圧トランスや、減圧用のインバーター等を使用する。
入力電圧を小さくするためには、出力側の電圧を入力電圧のほぼ２倍以上に一旦昇圧することが望ましい。２倍以上に昇圧しない場合、入力電力が比較的に多くなる。
【００２１】
実施形態１に係る電源装置１の構成等をまとめる。
負荷７０に電力を供給する二電力融合回路３０が設けられた電源装置１であって、二電力融合回路３０に低電圧で大電流の電力を供給する大電流電源部１０と、大電流電源部１０よりも電位が高い高電圧で且つ大電流電源部１０よりも電流値が小さい小電流の電力を生成する高電圧電源部２０と、前記大電流電源部１０の低電圧で大電流の電力、及び前記高電圧電源部２０の高電圧で小電流の電力とが供給可能な二電力融合回路３０と、脈流直流の融合直流電力を平滑直流電力にする総電力平滑回路４０と、前記平滑直流電力を定格出力電圧（例えばＡＣ２０２Ｖ）に自動調整する電力調整機６０とを備えている電源装置１である。
電源装置１では、二電力融合回路３０の高電圧用トランス２１の二次コイルに、大電流電源部１０の大電流で低電圧の電力を送電し、当該電力と前記二次コイルの中で発生する高電圧で小電流の電力とを、前記二次コイルの中で融合させて生成する融合直流電力を、電力調整機６０によって、安定した任意設定の定格出力電圧（設定）の電力を負荷７０に供給可能である。
【００２２】
＜実施形態２＞
図２は実施形態２に係る電源装置１Ｘの概略回路構成図であって、電源装置１Ｘは、高電圧電源部と二電力融合回路を除き、他は実施形態１と同様に成る。実施形態１と同様の構成要素には同一の符号を付して適宜説明を省略する。
電源装置１Ｘは、大電流電源部１０と、高電圧電源部２０Ｘと、二電力融合回路３０Ｘと、総電力平滑回路４０と、電力調整機６０とを備え、負荷７０に接続可能である。
【００２３】
高電圧電源部２０Ｘは、高電圧用の第１トランス２２Ｘと第２トランス２２Ｙを備えている。
第１トランス２２Ｘの入力側端子２２ａと、第２トランス２２Ｙの入力側端子２２ｂとをＦ接続線２２ｃで接続する。又、第１トランス２２Ｘの入力側端子２２ｄと、第２トランス２２Ｙの入力側端子２２ｅとをＧ接続線２２ｆで接続する。これらの結線により、第１トランス２２Ｘと第２トランス２２Ｙが並列に接続される。即ち、Ｆ接続線２２ｃ及びＧ接続線２２ｆは、第１トランス２２Ｘと第２トランス２２Ｙを並列に接続する並列接続線を構成する。
【００２４】
二電力融合回路３０Ｘは、第１トランス２２Ｘと第２トランス２２Ｙの二次コイル側をＨ接続線２２ｇ（直列接続線）で直列結線し、第１トランス２２Ｘの二次コイルの右側端子２２ｈと、二電力融合回路３０Ｘの出力側（＋）極端子３０ｄとをＩ接続線２２ｉ（右の端接続線）で接続する。又、第２トランス２２Ｙの二次コイルの左側端子２２ｊと、二電力融合回路３０Ｘの出力側（＋）極端子３０ｄとをＪ接続線２２ｋ（左の端接続線）で接続している。尚、Ｈ接続線２２ｇの中央部にタップ線２２ｌを接続し、タップ線２２ｌの他端を二電力融合回路３０Ｘの入力側（−）極端子３０ｃに接続している。
更に、Ｉ接続線２２ｉの中央部には整流器Ｄ５を設け、Ｊ接続線２２ｋの中央部には整流器Ｄ６を設ける。整流器Ｄ５，Ｄ６のカソード側を二電力融合回路３０Ｘの出力側（＋）極端子３０ｄに向けている。
【００２５】
次に、電源装置１Ｘの動作例（出力負荷時）を説明する。
高電圧電源部２０Ｘの入力側端子２０ａ，２０ｂに対し、外部電源から交流電力を供給すると、交流電力は高電圧用の第１トランス２２Ｘと第２トランス２２Ｙの各一次コイルに供給される。
第１トランス２２Ｘと第２トランス２２Ｙの二次コイル内部で流れる交流電力の流れ方向は、右一方向に流す右の整流器Ｄ５と、左一方向に流す左の整流器Ｄ６を設けていることによって、第１トランス２２Ｘでは右方向へのみ流れ、第２トランス２２Ｙでは左方向へのみ流れる。整流器Ｄ５，Ｄ６により、左方向の電流と右方向の電流は合流して二電力融合回路３０Ｘの出力側（＋）極端子３０ｄでは、脈流直流が生成する。
大電流電源部１０で生成された低電圧・大電流の直流電力は、二電力融合回路３０Ｘの入力側（−）極端子３０ｃとタップ線２２ｌを通って第１トランス２２Ｘと第２トランス２２Ｙの二次コイルの中に流れる。そして、第１トランス２２Ｘと第２トランス２２Ｙの二次コイルの中で正方向と逆方向に発生する交流電力と一緒になって、これら二次コイルの中を流れる。この時、これらの二次コイルで発生する交流電圧は、大電流電源部１０で発生した低電圧と二次コイル内で合成され、合成高電圧となって負荷７０に送電される。
又、大電流電源部１０から供給された大電流は、二次コイルで発生した小電流とは合算されず、これら大電流と小電流は共に重なって重合大電流となって負荷７０に流れる。つまり、二次コイルの中で合成高電圧と重合大電流は融合し、合成高電圧・重合大電流の融合直流電力が生成する。電力調整機６０で、融合直流電力は設定された出力電力（電圧・電流）に調整されて負荷７０に供給される。
【００２６】
続いて、以上の電源装置１Ｘの効果を説明する。
電源装置１Ｘの二電力融合回路３０Ｘでは、右の整流器Ｄ５及び左の整流器Ｄ６と、第１トランス２２Ｘの二次コイルと、第２トランス２２Ｙの二次コイルとを設けて、二次コイルに発生する交流の往来を正逆別々の方向に流して、交流電力を脈流直流の電力に変換する。
大電流電源部１０で生成した低電圧・大電流の電力を、二電力融合回路３０Ｘの入力側（−）極端子３０ｃから第１トランス２２Ｘの二次コイルと第２トランス２２Ｙの二次コイルに供給し、これら二次コイルの内部で発生する高電圧と、大電流電源部１０で生成した低電圧とを二次コイルの内部で合成して合成高電圧を生成する。又、これらの二次コイルの内部で発生した小電流と、大電流電源部１０で生成した大電流は、これらの二次コイル内では加算されず、小電流と大電流は重合して重合大電流となり、合成高電圧と融合して、融合直流電力となって負荷７０に供給される。
交流を直流に変換するための整流器は、実施形態１の電源装置１における二電力融合回路３０では４個（整流器Ｄ１〜Ｄ４）使用するところ、実施形態２の電源装置１Ｘでは２個（整流器Ｄ５〜Ｄ６）で済み、整流器通過損失は実施形態２の電源装置１Ｘの方が少なく（半分に）なり、その分高効率となる。
【００２７】
＜変更例＞
尚、主に上記実施形態１，２を変更して成る、本発明の他の形態を例示する。
大電流電源部１０の入力側端子１０ａ，１０ｂに対して供給される交流電圧や交流電流あるいは周波数や位相は、高電圧電源部２０の入力側端子２０ａ，２０ｂに対して外部電源から供給される交流電圧や交流電流あるいは周波数や位相と一致していなくても良い。
全波整流回路は、実施形態１，２に図示した回路の他、全波整流が可能な回路であればどのような回路であっても良い。
大電流電源部１０は、実施形態１の回路の他に、スイッチング電源装置や、ＣＶＣＣ直流安定化電源装置等を使用することができる。
総電力平滑回路４０は、総電力を平滑にできれば、別の回路を採用して良い。
電力調整機６０は、パワーコンディショナー、インバーター、バッテリー充電器、スイッチング電源装置の他、昇圧装置や、サーボ・アンプ等とすることができる。又、総電力平滑回路４０と、電力調整機６０の間に、昇圧チョッパ回路等の昇圧装置や蓄電池モジュール（１台あるいは複数台並列等）を設置しても良い。更に、電力調整機６０としてインバーターやスイッチング電源装置等を使用する場合、機器内部に平滑回路が組み込まれているときは、本装置（特許請求の範囲）の平滑回路は組み込まなくても良い。
実施形態１，２における高電圧用のトランス（高電圧用トランス２１，第１トランス２２Ｘ，第２トランス２２Ｙ）では、一次コイルと二次コイルの巻数比を１：１．２としたが、この比率を１：１、あるいは１：２等（昇圧）、又は２：１等（減圧）とする等、適宜の巻数に変更することができる。
実施形態２の電源装置１Ｘでは、第１トランス２２Ｘ及び第２トランス２２Ｙを個々独立に設けたものとしているが、鉄心や一次コイルを共通化してそれぞれ１個とし、二次コイルを２個としたトランスを採用しても良い。
大電流電源部１０は、大電流を放電する蓄電池や、大電流発電用の直流発電機に置き換えても良い。又、大電流電源部１０の代わりに、外部から大電流・低電圧の直流電力を二電力融合回路３０，３０Ｘの入力側（−）極端子３０ｃに直接供給しても良い。
整流器Ｄ５，Ｄ６について、実施形態２（二電力融合回路３０Ｘ）に設置している位置（Ｉ接続線２２ｉとＪ接続線２２ｋの中央に設置）を変えて、Ｈ接続線２２ｇの第１トランス２２Ｘの二次コイル側と、第２トランス２２Ｙの二次コイル側とに、タップ線２２ｌを挟む位置で整流器Ｄ５，Ｄ６を設けることも可能である。尚、整流器Ｄ５，Ｄ６のカソード側を、第１トランス２２Ｘ，あるいは第２トランス２２Ｙの接続端子に向けて設ける。
【符号の説明】
【００２８】
１，１Ｘ・・電源装置、１０・・大電流電源部、２０，２０Ｘ・・高電圧電源部、３０，３０Ｘ・・二電力融合回路（二電力融合部）、４０・・総電力平滑回路（総電圧平滑部）、６０・・電力調整機。
【図１】
0006403568.tif 000002
【図２】
0006403568.tif 000003